(57)【要約】【課題】炉等の熱源を監視する監視カメラを、カメラケース内の温度上昇や前面ガラスが破損したとき自動的に後退させ、機能の劣化や低下を防止する。【解決手段】監視カメラはカメラケース３に収容し、架台６上に取付具７を介して取付ける。通常時（監視時）は電磁石20に通電され、軸支部17に軸支されたフック金具15の後端部18を磁着し、折曲部16がレール部22の前端面23の孔24に掛合し係止される。異常発生時、電磁石の通電が停止され、フック金具はスプリング19で後端部が押下され、折曲部がはね上がって穿設孔24から外れ、バネ12のバネ圧でピストン11が作動し、架台は車輪９の回転でレール部22内を後退し、永久磁石14でレール部後端面25に磁着されて止まる。監視状態への復帰は、架台を前方に押してフック金具の折曲部を孔24から突出させ、電磁石に通電して折曲部を孔24に掛合させる。【選択図】  図１
2004212505.tif 000002
【特許請求の範囲】
【請求項１】
監視カメラを収容したカメラケースと、同カメラケースを上面に取付具を介して架設するとともに車輪を備えた架台と、同架台を前後に摺動可能としたレール部と、前記架台を前記レール部の前部に係止する係止手段と、同架台の係止を解除する係止解除手段と、前記架台の前端面に設けられ、同架台を前記レール部の前方から後方に押し出すためのバネとを具備してなり、前記係止解除手段により前記レール部と架台の係止を解除することにより、前記バネにより前記架台が前記レール部内を後方に移動するようにしたことを特徴とする監視カメラ装置。
【請求項２】
前記架台の後端面に永久磁石を取付け、同架台が前記レール部内を後方に移動したとき同永久磁石が同レール部の後端面に設けた板に磁着し、同架台が前方に戻らないようにしたことを特徴とする請求項１記載の監視カメラ装置。
【請求項３】
監視カメラを収容したカメラケースと、同カメラケースを上面に取付具を介して架設するとともに車輪を備えた架台と、同架台を前後に摺動可能としたレール部と、前記架台を前記レール部の前部に係止する係止手段と、同架台の係止を解除する係止解除手段とを具備すると共に、前記レール部を前端側に対して後端側が低くなるように傾斜させて設置してなり、前記係止解除手段により前記レール部と架台の係止を解除することにより、前記架台が同架台、カメラケースおよび収納された監視カメラの自重により前記レール部内を後方に移動するようにしたことを特徴とする監視カメラ装置。
【請求項４】
前記係止手段は、前記架台を箱状に形成して前端面に孔を設け、前記レール部の前端面に穿設孔を穿った板を設けると共に、中心部が前記架台の上方内面に回動自在に軸支され、先端を下向きに折曲した折曲部が前記架台の孔を挿通し、前記レール部の穿設孔に掛合して係止されるフック金具と、同フック金具の折曲部を上方に付勢するスプリングと、通電により前記フック金具の折曲部を下方に回動させる電磁石とを設けてなり、前記係止解除手段は、前記電磁石への通電を停止するものでなり、前記係止解除手段により前記フック金具の折曲部が前記スプリングにより上方に回動され、前記レール部の穿設孔との掛合が外れて前記架台の係止が解除されるものでなることを特徴とする請求項１、２または３記載の監視カメラ装置。
【発明の詳細な説明】
【０００１】
【発明の属する技術分野】
本発明は監視カメラ装置に係り、熱源の監視に用いる監視カメラの温度が上昇したりカメラケースの前面ガラスが破損したような場合に監視カメラを後退させて保護するものに関する。
【０００２】
【従来の技術】
高温炉等の熱源を監視する監視カメラ装置は、カメラケース内の温度が規定値を越えたり、カメラケースの前面ガラスが破壊されたような場合に収容されている監視カメラの機能に支障が生じる。これらを防ぐには、例えば、炉内の監視の場合は緊急時に炉のカメラ用の窓を塞ぐことが効果的であるが、窓を塞ぐ構造のない炉もあり、また、製鉄所の赤熱した鉄の圧延工程のように仕切り壁のない場所に設置される場合もある。このため、従来から、例えば、監視カメラを図３（イ）〜（ハ）に示すような水冷式のカメラケース３（5Aと5Bが冷却水の出入口）に収納し、監視カメラ本体の温度上昇を抑制する他、カメラケース３内に温度センサ（図示せず）を設け、規定温度以上になった場合はカメラ電源をオフし、温度が低下してからカメラ電源をオンし復帰させるようにしたものや、カメラケース３の前面ガラス４の破損を報知するガラス破損センサ（図示せず）を設け、前面ガラス４が破損した場合に報知するようにしたもの等があるが、カメラ電源をオフするだけではケース内の温度の低下に時間がかかり、また、前面ガラス４の破損を報知するだけではガラス交換のためカメラケース３を動かさなければならない。このため、図３（イ）〜（ハ）に示す如く、カメラケース３をスライド式の架台６に取付け、車輪９の回転で架台６がレール部22内を前後に移動できる構造とし、通常時は図３（イ）の如くカメラケース３を前方に配置し、カメラケース３内の温度の上昇や前面ガラス４の破損の場合に図３（ロ）の如く監視カメラをカメラケース３ごと後方に移動させ、熱による監視カメラの劣化や機能低下を防止するようにしたものがある。架台６の移動手段としてエアシリンダ31（アーム32を架台６に連結）を用いる方法があるが、エアシリンダ31にはエアの配管等が必要であり、装置が複雑で大がかりなものになるという問題があった。（類似のものとして、例えば、特許文献１参照。）
【０００３】
【特許文献１】
特開平９−２６１５１６号公報（第２頁、第４頁、図１、図２）
【０００４】
【発明が解決しようとする課題】
本発明は以上述べた問題点を解決し、カメラケース内の温度が規定値を越えたり前面ガラスが破損したような異常時に、エアシリンダのような複雑で大がかりな装置を用いずにカメラケースごと監視カメラが後方の安全な位置に移動されるようにした監視カメラ装置を提供することを目的とする。
【０００５】
【課題を解決するための手段】
本発明は上述の課題を解決するため、監視カメラを収容したカメラケースと、同カメラケースを上面に取付具を介して架設するとともに車輪を備えた架台と、同架台を前後に摺動可能としたレール部と、前記架台を前記レール部の前部に係止する係止手段と、同架台の係止を解除する係止解除手段と、前記架台の前端面に設けられ、同架台を前記レール部の前方から後方に押し出すためのバネとを具備してなり、前記係止解除手段により前記レール部と架台の係止を解除することにより、前記バネにより前記架台が前記レール部内を後方に移動するようにする。
【０００６】
この場合、前記架台の後端面に永久磁石を取付け、同架台が前記レール部内を後方に移動したとき同永久磁石が同レール部の後端面に設けた板に磁着し、同架台が前方に戻らないようにしてもよい。
【０００７】
または、前記バネおよび永久磁石を省くと共に、前記レール部を前端側に対して後端側が低くなるように傾斜させて設置し、前記係止解除手段により前記レール部と架台の係止を解除することにより、前記架台が同架台、カメラケースおよび収納された監視カメラの自重により前記レール部内を後方に移動するようにする。
【０００８】
なお、前記係止手段は、前記架台を箱状に形成して前端面に孔を設け、前記レール部の前端面に穿設孔を穿った板を設けると共に、中心部が前記架台の上方内面に回動自在に軸支され、先端を下向きに折曲した折曲部が前記架台の孔を挿通し、前記レール部の穿設孔に掛合して係止されるフック金具と、同フック金具の折曲部を上方に付勢するスプリングと、通電により前記フック金具の折曲部を下方に回動させる電磁石とを設けてなり、前記係止解除手段は、前記電磁石への通電を停止するものでなり、前記係止解除手段により前記フック金具の折曲部が前記スプリングにより上方に回動され、前記レール部の穿設孔との掛合が外れて前記架台の係止が解除される。
【０００９】
【発明の実施の形態】
以下、図面に基づいて本発明による監視カメラ装置を詳細に説明する。
図１（イ）〜（ハ）は本発明による監視カメラ装置の一実施例を示す要部側断面図および矢視図である。図において、１は仕切り壁、２は炉内監視用の窓、３は監視カメラを収容する水冷式のカメラケース、４はカメラケース３の前面ガラス、5Aと5Bはカメラケース３の冷却水の出入口、６はカメラケース３を架設する箱状の架台、７はカメラケース３の取付具、８は取付具７にカメラケース３を固定する蝶ネジ、９は架台６の両側面に備えた車輪、10は架台の前端面、11はピストン、12はピストン11を押し出すためのバネ、13は架台の後端面、14は永久磁石、15はフック金具、16はフック金具の折曲部、17は軸支部、18はフック金具の後端部、19はスプリング、20は電磁石、21は架台前端面に設けた孔、22は上方を開放した箱状のレール部、23はレール部の前端面、24は前端面23に設けた穿設孔、25はレール部の後端面である。なお、上記架台６の前端面10の孔21、レール部22の前端面23の穿設孔24、フック金具15、スプリング19および電磁石20で架台６の係止手段を構成し、係止解除手段は電磁石20で構成する。
また、図２は本発明による監視カメラ装置の他の実施例を示す要部側断面図であるが、図２に付した符号は図１の符号と同じであるので説明を省く。
【００１０】
以上の構成において、次にその動作を説明する。
図１の場合、監視カメラはカメラケース３内に収容され、前面ガラス４を通して仕切り壁１の窓２から炉の中を監視するように設置される。カメラケース３は水冷式で、5Aと5Bは冷却水の出入口である。カメラケース３は、架台６上に設けられた取付具７に蝶ネジ８で固定される。架台６は、両側面に車輪９が二個ずつ設けられ、レール部22内を前後に移動可能になっている（図１（ハ）参照）。架台６の上方内面に軸支部17を設け、フック金具15の中程を上下に回動自在に軸支し、フック金具15は先端に折曲部16を形成し、フック金具15の後端部18は架台６の上方内面に設けた電磁石20で磁着され、スプリング19で下方に付勢される構造となっている。架台６の前端面10にはバネ12により前方に押し出されるピストン11が設けられている。
【００１１】
通常時、すなわち監視時、係止手段を用いて図１（イ）に示す如くに架台６をレール部22の前部に係止する。係止は、まず、電磁石20の通電を停止する。これにより、フック金具15は電磁石20から離れ、後端部18がスプリング19で下方に付勢され、先端（折曲部16）が上方にはね上がった状態となる。この状態で架台６を前方に押し、フック金具15の折曲部16がレール部22の前端面23の穿設孔24から突出するまでレール部22内を移動させ（ピストン11は架台６内に押し込まれた状態となる）、電磁石20を通電する。これで電磁石20が作動し、フック金具15の後端部18が電磁石20に磁着され、フック金具15が回動して折曲部16が下方に下がり、折曲部16が穿設孔24に掛合して係止され、図１（イ）の状態となる。
【００１２】
カメラケース３内の温度が上昇し規定値以上になった場合、または前面ガラス４が破損した場合等の異常時、係止解除手段により架台６のレール部22への係止を解除する。係止解除は電磁石20の通電を停止させることにより行われる。すると、この通電停止で電磁石20の磁力が消滅し、フック金具15の後端部18が電磁石20から離れ、スプリング19の付勢で軸支部17を軸にしてフック金具15が回動し、折曲部16が上方にはね上がる。これにより、折曲部16と穿設孔24との掛合が外れるため、ピストン11（バネ12）の力で架台６は後方に押され、車輪９の回転によりレール部22内を後方に移動し（図１（ロ）に示す状態）、カメラケース３は仕切り壁１の窓２から遠ざかる。なお、架台６の後端面13に永久磁石14を取付けておき、架台６が最後端に達したときレール部22の後端面25に永久磁石14が磁着し、架台６が前方に戻らないようにしてもよい。そして、保守要員（図示せず）は、カメラケース３内の温度が低下し、または破損した前面ガラス４を交換した後、上述の図１（イ）の状態に戻して再度監視状態に復帰させる。
【００１３】
図２の場合、レール部22の後方を下げ傾斜させて設置する。この場合、監視カメラが正しい向き（例えば、水平）になるように調節して蝶ネジ８を締めつける。図２では、図１の例で用いたピストン11（バネ12を含む）および永久磁石14は不要である。
電磁石20の動作およびフック金具15の動作は図１の場合と同じで、通常時（監視時）、架台６を前方に押し、フック金具15の折曲部16がレール部22の前端面23の穿設孔24に掛合し係止された状態（図２に示す状態）にする。カメラケース３内の温度上昇または前面ガラス４の破損等の異常時に電磁石20の通電を停止させると、電磁石20の磁力が消滅し、フック金具15の後端部18が電磁石20から離れ、スプリング19の付勢で軸支部17を軸にしてフック金具15が回動し、折曲部16が上方にはね上がり、折曲部16と穿設孔24との掛合が外れ、カメラケース３は、カメラケース３、収容されている監視カメラおよび架台６等の自重で架台６ごと矢印Ａのように後方に移動し、架台６の後端面がレール部22の後端面（図示省略）に達した位置で止まる。なお、保守要員はカメラケース３内の温度が低下し、または破損した前面ガラス４を交換した後、架台６を前方に押し上げ、フック金具15の折曲部16がレール部22の前端面23の穿設孔24から突出した位置で電磁石20を通電する。これにより、折曲部16は下方に回動して穿設孔24に掛合し、図２に示した状態（監視用の位置）に復帰する。
【００１４】
なお、本願はレール部22を箱状に形成しているが、これに限るものではなく、車輪９と対応するレール構造と、フック金具15の折曲部16と掛合する穿設孔24を設けた板（前端面23に対応）や、後端面25に対応する板等が、例えば、レール部に立設されている構造としてもよい。
また、架台６の係止手段としてフック金具15を用いているが、これに限るものではなく、例えば、電磁石20とは別の第２の電磁石を架台６に取付け、第２の電磁石に通電させて磁着させることにより架台６をレール部22に係止させ、第２の電磁石の通電を停止することにより係止を解除する構造としてもよい。
【００１５】
【発明の効果】
以上に説明したように、本発明による監視カメラ装置によれば、カメラケース内の温度が上昇して規定値以上になったとき、または前面ガラスが破損したとき等の異常発生時に電磁石の通電が停止され、フック金具が作動して折曲部の掛合が外れ、架台は自動的に後方に移動し、架台に架設されたカメラケース（監視カメラを収容）が後退するもので、これにより、炉等の異常発生による熱で監視カメラの劣化や機能低下が防止される。架台の後退動作のためには、フック金具と電磁石およびスプリングを用い、これらにピストン（バネを含む）を組み合わせるか、またはレール部を傾斜させて設置するだけの比較的簡単な構成でよく、従来のように機構が複雑で大がかりなエアシリンダを用いずに済み、実現性の高い有用なものである。
【図面の簡単な説明】
【図１】本発明による監視カメラ装置の一実施例の要部側断面図であり、（イ）は通常時、（ロ）は異常発生時、（ハ）はＡ−Ａ′矢視図を示している。
【図２】本発明による監視カメラ装置の他の実施例の要部側断面図である。
【図３】従来の監視カメラ装置の一例の要部側断面図であり、（イ）は通常時、（ロ）は異常発生時、（ハ）はＡ−Ａ′矢視図を示している。
【符号の説明】
１  仕切り壁
２  窓
３  カメラケース
４  前面ガラス
5A、5B  冷却水出入口
６  架台
７  取付具
８  蝶ネジ
９  車輪
10  架台の前端面
11  ピストン
12  バネ
13  架台の後端面
14  永久磁石
15  フック金具
16  折曲部
17  軸支部
18  フック金具の後端部
19  スプリング
20  電磁石
21  架台前端面の孔
22  レール部
23  レール部の前端面
24  レール部前端面の穿設孔
25  レール部の後端面
31  エアシリンダ
32  アーム
【図１】
2004212505.tif 000003
【図２】
2004212505.tif 000004
【図３】
2004212505.tif 000005